(57)【要約】【課題】マンコンベア装置の外側デッキを組立てる際、ボルト止めによっていたので、据付け、組立作業に時間がかかり、部品数も多いという課題があった。【解決手段】マンコンベアの進行方向側方部に設けられた欄干柱などの固定部２に取付けられたブラケット部材３と、このブラケット部材の上面部に設けられた主デッキ１０と、上記ブラケット部材に固定され上記主デッキの側方に突設された外側デッキ９とを備えたものにおいて、上記ブラケット部材に固定され上記外側デッキをマンコンベア外側方向から受入れてその端部を係止する弾性部材からなる係止部材８を設けると共に、上記外側デッキのマンコンベア中央部寄りに、上記係止部材に係合する係合部９１を設けた。【選択図】図１
2006199457.tif 000002
【特許請求の範囲】
【請求項１】
マンコンベアの進行方向側方部に設けられた固定部に取付けられたブラケット部材と、このブラケット部材の上面部に設けられた主デッキと、上記ブラケット部材に固定され上記主デッキの側方に突設された外側デッキとを備えたものにおいて、上記ブラケット部材に固定され上記外側デッキをマンコンベア外側方向から受入れてその端部を係止する弾性部材からなる係止部材を設けると共に、上記外側デッキのマンコンベア中央部寄りに、上記係止部材に係合する係合部を設けたことを特徴とするマンコンベア装置。
【請求項２】
上記係止部材は、上記外側デッキを上記ブラケット部材との間に挟み込み、かつ挟み込んだ外側デッキを上方から上記ブラケット部材の方向に付勢し得るフック部が形成された板バネからなることを特徴とする請求項１に記載のマンコンベア装置。
【請求項３】
上記外側デッキの係合部は、上記板バネのフック部にバネ弾性によって係止される凹凸からなることを特徴とする請求項２に記載のマンコンベア装置。
【請求項４】
上記外側デッキの係合部は、上記板バネのフック部にバネ弾性によって係止される穴からなることを特徴とする請求項２に記載のマンコンベア装置。
【請求項５】
上記ブラケット部材は、上記板バネのフック部に対応する位置に該フック部の付勢方向先端部を受入れる貫通孔が設けられてなり、上記板バネのフック部が上記外側デッキの穴を挿通して該貫通孔に進入するようにしてなることを特徴とする請求項４に記載のマンコンベア装置。
【請求項６】
上記外側デッキは、マンコンベア中央部寄りの端部に折曲形成された返し部を有し、上記係止部材に形成されたフック部は、外側方向から受入れた上記外側デッキの抜け止めを兼ねてなることを特徴とする請求項２ないし請求項５の何れかに記載のマンコンベア装置。
【発明の詳細な説明】
【技術分野】
【０００１】
この発明は例えばエスカレータ、動く歩道などのマンコンベア装置に関し、特にパネル形マンコンベア等のステップの両側部に設けられる外側デッキの取付け構造の改良に関するものである。
【背景技術】
【０００２】
従来のマンコンベア装置においては、ステップの進行方向両側方部に主デッキを設け、その外側に建物との隙間を塞ぐ外側デッキをボルトで固定して設けたものがある（例えば特許文献１参照。）。なお、特許文献１では欄干パネルの下部外側に配設された外側デッキについて説明しているが、従来装置では上部移動手摺の外方の外側デッキについても同様の固定構造になっていた。
【０００３】
【特許文献１】実公昭６２−４６７０５号公報（第１頁、第４図）
【発明の開示】
【発明が解決しようとする課題】
【０００４】
上記のような従来のマンコンベア装置においては、外側デッキに取付け用の穴を加工する一方、マンコンベアの固定部に取付けられたブラケット部材に固定用の穴を明け、固定ボルトを外側デッキの取付け用の穴からブラケット部材の固定用の穴に挿通して取付ける構造となっており、据付、組立作業に時間や手間が掛かるという問題が有った。
【０００５】
この発明は上記のような従来技術の課題を解消するためになされたもので、ボルト止めによる取付け構造を廃止し、外側デッキを容易に取付け可能な構造とすることにより、据付け、組立作業に要する時間を短縮すると共に部品数も削減したマンコンベア装置を得ることを目的としている。
【課題を解決するための手段】
【０００６】
この発明によるマンコンベア装置は、マンコンベアの進行方向側方部に設けられた固定部に取付けられたブラケット部材と、このブラケット部材の上面部に設けられた主デッキと、上記ブラケット部材に固定され上記主デッキの側方に突設された外側デッキとを備えたものにおいて、上記ブラケット部材に固定され上記外側デッキをマンコンベア外側方向から受入れてその端部を係止する弾性部材からなる係止部材を設けると共に、上記外側デッキのマンコンベア中央部寄りに、上記係止部材に係合する係合部を設けたものである。
【発明の効果】
【０００７】
この発明においては、弾性部材からなる係止部材に外側デッキのマンコンベア中央部寄りに設けた係合部を係合させて固定するようにしたので、据付け現場において、外側デッキを組立てる際にボルト止め作業が不要となり、外側デッキを容易に取付ける事が出来、据付け、組立て作業時間が短縮されると共に部品数を削減できる効果がある。
【発明を実施するための最良の形態】
【０００８】
実施の形態１．
図１〜図３はこの発明の実施の形態１によるマンコンベア装置を説明するもので、図１は要部である外側デッキの取付け部分を示す断面図、図２は図１に示す外側デッキの取付け部分の平面図、図３はマンコンベア装置の全体を示す側面図である。なお、図１は図３及び図２にそれぞれ示すＩ−Ｉ線における矢視断面図に相当する。図において、マンコンベアの主枠１には、固定部としての欄干柱２が取付けられ、その欄干柱２の先端部に板状のブラケット部材３がボルトやアングルなどの固定部材４によって強固に固定されている。なお、５はステップ、６はステップ５の両側部上方に配設された欄干パネル、７は移動手摺である。上記ブラケット部材３の上面部には、外側方向（図１、図２の左側方向）にフック部８ａが形成された板バネからなる係止部材８が図示を省略している例えば接着剤や抵抗溶接などの固定手段により固定されている。
【０００９】
なお、上記係止部材８の右方に平面状に形成された８ｂは該固定手段による固定部である。係止部材８のフック部８ａは、バネ弾性により矢印Ａで示す図１の下方向に付勢されており、外側デッキ９をマンコンベアの外側方向から矢印Ｂの方向に受入れてその先端部９ａの係合部９１をバネ弾性により係止している。主デッキ１０は、移動手摺７のガイド部材７１と共に固定ボルト１１により、ブラケット部材３に固定され、ブラケット部材３、係止部材８などの上部をカバーすると共に、内側（図１の右側）端部に形成された保持部１０ａで欄干パネル６の上端部を保持している。なお、その他の構成は従来装置と同様であるので説明を省略する。なお、各図を通じて同一符号は同一または相当部分を示すものとする。
【００１０】
次に上記のように構成された実施の形態１の動作について説明する。マンコンベアを据え付けるときに、主枠１、ステップ５など本体部分を建物の所定位置に取付け、固定した後、ブラケット部材３に外側デッキ９を取付けるが、外側デッキ９のマンコンベア中央部側の先端部９ａを係止部材８のフック部８ａとブラケット部材３の上面部の間に滑らせて矢印Ｂ方向に所望の寸法だけ挿入することにより、外側デッキ９の先端部９ａ上面の係合部９１を係止部材８のフック部８ａがバネ弾性により図の下方向に押圧し、ブラケット部材３と係止部材８の間に挟み込むように外側デッキ９の係合部９１をブラケット部材３に摩擦力で固定する。その後、主デッキ１０を従来と同様に固定ボルト１１により固定部である欄干柱２に対して固定する。
【００１１】
上記のように、この実施の形態１によれば、外側デッキ９をブラケット部材３に固定する際に、外側デッキ９を係止部材８のバネ弾性によりブラケット部材３と係止部材８の間に挟み込んで摩擦力で固定するようにしたことにより、穴あけやボルトによるねじ締め作業が不要となり、外側デッキ９を容易に取付けることが出来、据付け、組立て作業時間が短縮されると共に部品数を削減できる効果がある。なお、外側デッキ９のフック部８ａに対する挿脱方向の係止力を増すために、外側デッキ９の先端部９ａ上面部に、例えば挿脱方向に直交する方向の線状に形成された凹凸（図示省略）などを設けて係合部９１とすることは、外側デッキ９の抜け止め効果を上げるために望ましい。
【００１２】
実施の形態２．
図４及び図５はこの発明の実施の形態２によるマンコンベア装置を示し、図４は要部断面図、図５はその平面図である。なお、図４は図５のＩＶ−ＩＶ線における矢視断面図に相当する。図において、９１ａは外側デッキ９の先端部９ａにおける係止部材８のフック部８ａの下方向先端部が嵌まり込む大きさに合わせた寸法に設けられた係合部としての長穴からなる穴である。なお、上記外側デッキ９の穴９１ａは各係止部材８のフック部８ａに対応してそれぞれ設けられている。その他の符号は上記実施の形態１と同様であるので説明を省略する。
【００１３】
上記のように構成された実施の形態２においては、実施の形態１と同様に主デッキ１０を装着する前に、外側デッキ９を矢印Ｂ方向に係止部材８のフック部８ａとブラケット部材３の間に挿入して取付けるが、外側デッキ９を挿入したときにフック部８ａの下方向先端部が外側デッキ９の係合部である穴９１ａに嵌まり込み、外側デッキ９がブラケット部材３に固定される。このため、上記実施の形態１と同様の効果が得られるほか、外側デッキ９が容易に抜けるのを防止する効果を高めることができる。なお、穴９１ａは矢印Ｂ方向に１箇所設けたが、複数箇所設けることにより、外側デッキ９の矢印Ｂ方向の固定位置を可変にすることができる。その際、隣接する穴９１ａ（図示省略）の間隔を短くすることで調整ピッチを細かくできる。また、穴９１ａは長穴に限定されるものではなく、フック部８ａの下方向先端部の形状、大きさに応じて、適宜変更することは自由である。
【００１４】
実施の形態３．
図６及び図７はこの発明の実施の形態３によるマンコンベア装置を示し、図６は要部断面図、図７はその平面図である。なお、図６は図７のＶＩ−ＶＩ線における矢視断面図に相当する。この実施の形態３は上記実施の形態２の変形例を示すもので、図に示すように、上記実施の形態２におけるブラケット部材３に、係止部材８のフック部８ａに対応する位置に該フック部８ａの付勢方向（下方向）先端部を受入れる貫通孔３ａを設け、上記係止部材８のフック部８ａが上記外側デッキ９の係合部としての長穴状の穴９１ａを挿通して該貫通孔３ａに進入するようにしたものである。その他の符号は上記実施の形態２と同様であるので説明を省略する。
【００１５】
上記のように構成された実施の形態３においては、上記実施の形態２と同様に外側デッキ９を矢印Ｂ方向に係止部材８のフック部８ａとブラケット部材３の間に挿入したときに、上記フック部８ａが外側デッキ９の穴９１ａを貫通してブラケット部材３の貫通孔３ａに進入することにより、外側デッキ９をブラケット部材３に固定すると共に、外側デッキ９が矢印Ｂと反対の方向に抜けるのを防止する。この実施の形態３では、フック部８ａが外側デッキ９の穴９１ａを貫通してブラケット部材３の貫通孔３ａにまで進入していることにより抜け止め効果を一層高めることができる。
【００１６】
実施の形態４．
図８及び図９はこの発明の実施の形態４によるマンコンベア装置を示し、図８は要部断面図、図９はその平面図である。なお、図８は図９のＶＩＩＩ−ＶＩＩＩ線における矢視断面図に相当する。図において、９１ｂは外側デッキ９のマンコンベア中央部寄りの端部に折曲形成された第２の係合部としての返し部であり、この返し部９１ｂは係止部材８の固定部８ｂとフック部８ａの間の懐部８ｃに納まり、外側デッキ９が矢印Ｂと反対の方向に移動しようとすると、返し部９１ｂがフック部８ａに係止され、ストッパの役割を発揮するように設けられている。その他の構成は上記実施の形態２と同様であるので説明を省略する。
【００１７】
上記のように構成された実施の形態４においては、外側デッキ９を矢印Ｂ方向に係止部材８のフック部８ａとブラケット部材３の間に挿入すると、フック部８ａの下方向先端部が外側デッキ９の第１の係合部である穴９１ａに入り込むと共に、外側デッキ９の第２の係合部である返し部９１ｂがフック部８ａに係止されることにより、抜け止め方向の動きを規制するので、抜け止め効果を更に一層高めることができる。また、返し部９１ｂは外側デッキ９の例えばプレス加工工程で同時に形成することも可能であるため、製造も簡単であるという利点がある。
【００１８】
なお、上記説明では係止部材８として、長方形の板バネを用い、フック部８ａを該長方形の板バネを折曲して形成したが、係止部材８の形状やフック部８ａの構成の仕方は必ずしもこれに限定されるものではなく、類似の種々の変形や変更が可能であることは言うまでもない。また、固定部２を欄干柱として説明したが、主枠１に対して固定されたものであればよく、欄干柱に限定されるものではない。
【図面の簡単な説明】
【００１９】
【図１】この発明の実施の形態１によるマンコンベア装置における発明の要部である外側デッキの取付け部分を示す断面図である。
【図２】図１に示す外側デッキの取付け部分の平面図である。
【図３】図１に示すマンコンベア装置の全体を示す側面図である。
【図４】この発明の実施の形態２によるマンコンベア装置の要部断面図である。
【図５】図４に示すマンコンベア装置の要部の平面図である。
【図６】この発明の実施の形態３によるマンコンベア装置の要部断面図である。
【図７】図６に示すマンコンベア装置の要部の平面図である。
【図８】この発明の実施の形態４によるマンコンベア装置の要部断面図である。
【図９】図８に示すマンコンベア装置の要部の平面図である。
【符号の説明】
【００２０】
１  主枠、  ２  固定部（欄干柱）、  ３  ブラケット部材、  ３ａ  貫通孔、  ４  固定部材、  ５  ステップ、  ６  欄干パネル、  ７  移動手摺、  ７１  ガイド部材、  ８  係止部材（板バネ）、  ８ａ  フック部、  ８ｂ  固定部、  ８ｃ  懐部、  ９  外側デッキ、  ９ａ  先端部、  ９１  係合部、  ９１ａ  係合部（穴）、  ９１ｂ  係合部（返し部）、  １０  主デッキ、  １０ａ  保持部、  １１  固定ボルト。
【図１】
2006199457.tif 000003
【図２】
2006199457.tif 000004
【図３】
2006199457.tif 000005
【図４】
2006199457.tif 000006
【図５】
2006199457.tif 000007
【図６】
2006199457.tif 000008
【図７】
2006199457.tif 000009
【図８】
2006199457.tif 000010
【図９】
2006199457.tif 000011